(57)【要約】【課題】少なくとも一側面に開口部が幅狭のシート止着溝を備え横断面が管状体をなすシート止め材を枠材に使用して組立てた温室用引き戸の上辺枠の上に懸垂型戸車を取り付ける懸垂型戸車の取付け構造を提供する。【解決手段】一端部にシート止着溝１０の開口上縁部１４へ引っ掛ける鉤部２１を有し、上辺枠１の上面１１から背面１３にかけて外接する略コ字形状をなし、背面側１３に被緊締部２０を有する上側取付け部材２のウェブ２２に懸垂型戸車５が取り付け固定されている。一端部にシート止着溝１０の開口下縁部１５へ引っ掛ける鉤部３１を有し、上辺枠１の下面１２から背面１３にかけて外接する略コ字形状をなし、背面側１３に被緊締部３０を有する下側取付け部材３と、上側取付け部材２とが、上辺枠１へ被緊締部２０と３０を同じ向きに配置され、上下の被緊締部２０と３０が緊結されて、懸垂型戸車５が上辺枠１の上に取り付けられている。【選択図】図２
2009167655.tif 000002
【特許請求の範囲】
【請求項１】
少なくとも一側面に開口部が幅狭のシート止着溝を備え横断面がほぼ四角形の管状体をなすシート止め材を枠材に使用し、そのシート止着溝を横向きに配置して組立てた温室用引き戸の上辺枠に懸垂型戸車を取り付ける懸垂型戸車の取付け構造において、
一端部に前記引き戸の上辺枠のシート止着溝の開口上縁部へ引っ掛ける鉤部を有し、同上辺枠の上面から背面にかけて外接する略コ字形状をなし、背面側に被緊締部を有する上側取付け部材のウェブに前記懸垂型戸車が上向きに取り付け固定されており、
一端部に前記引き戸の上辺枠のシート止着溝の開口下縁部へ引っ掛ける鉤部を有し、同上辺枠の下面から背面にかけて外接する略コ字形状をなし、背面側に被緊締部を有する下側取付け部材と、前記上側取付け部材とが、引き戸の上辺枠へそれぞれの被緊締部を同じ向きに配置され、上下の被緊締部が緊結されて前記懸垂型戸車が引き戸の上辺枠の上に取り付けられていることを特徴とする、温室用引き戸の懸垂型戸車の取付け構造。
【発明の詳細な説明】
【技術分野】
【０００１】
この発明は、少なくとも一側面に開口部が幅狭のシート止着溝を備え横断面が管状体をなすシート止め材を枠材に使用し、そのシート止着溝を横向きに配置して組立てた温室用引き戸の上辺枠の上に懸垂型戸車を取り付ける懸垂型戸車の取付け構造の技術分野に属する。
【背景技術】
【０００２】
従来、各種の野菜や果物などの促成栽培を行う温室の出入り口開口には、一例を図４と図５に示したように、引き戸ｈの上辺枠ｄの上に懸垂型戸車ａを取付け、同懸垂型戸車ａを出入口開口の上辺に設置した戸車レールｆへ吊り下げた構成の引き戸ｈが開閉自在に設置されている。但し、従来の引き戸ｈの上辺枠ｄは、垂直な側面に開口部が幅狭のシート止着溝ｇを備え、水平な上面部に懸垂型戸車ａの垂直軸ｂをナットｅで固定できる構成で、横断面が倒立Ｌ字形の開放断面構造のシート止め材ｄが使用されている。上記懸垂型戸車ａの取付け構造は、下記特許文献１〜３にも開示されている。
【０００３】
【特許文献１】特開平０８−１１６７９９号公報
【特許文献２】特開平０８−２６６１６５号公報
【特許文献３】特開平０８−２６６１６６号公報
【発明の開示】
【発明が解決しようとする課題】
【０００４】
上記図４及び図５に示した従来の温室用引き戸の懸垂型戸車の取付け構造も、それなりに一応の用途、機能を満たすものとして実用に供されている。しかし、上記開放断面構造のシート止め材ｄは、当然のことながら、強度および剛性が低く、高強度、高剛性の引き戸の枠材としては好ましくないと考えられるようになった。最近では、一例を図３に示すように、少なくとも一側面に開口部が幅狭のシート止着溝１０を備え横断面がほぼ四角形の管状体とされた高強度、高剛性のシート止め材１を枠材に使用して、高強度、高剛性の引き戸８を組み立てる発想が生まれ実施されつつある。しかし、管状体をなすシート止め材１では、上記温室用引き戸の懸垂型戸車の取付け構造を適用することはできない。即ち、図５に示す懸垂型戸車ａの垂直軸ｂのねじ部ｃへナットｅをねじ込み締結する作業が不可能だからである。
【０００５】
本発明の目的は、少なくとも一側面に開口部が幅狭のシート止着溝を備え横断面がほぼ四角形の管状体をなすシート止め材を枠材に使用して組立てた引き戸の上辺枠の上に懸垂型戸車を取り付けることができ、取り付けや撤去、取付位置修正の作業などが容易であり、面内方向および面外方向の剪断力等に対する強度、剛性が必要十分に高く、長期にわたり高安定で信頼性が高い使用ができる温室用引き戸の懸垂型戸車の取付け構造を提供することである。
【課題を解決するための手段】
【０００６】
上記従来技術の課題を解決するための手段として、請求項１に記載した発明に係る温室用引き戸の懸垂型戸車の取付け構造は、
少なくとも一側面に開口部が幅狭のシート止着溝１０を備え横断面がほぼ四角形の管状体をなすシート止め材１を枠材に使用し、そのシート止着溝１０を横向きに配置して組立てた温室用引き戸８の上辺枠１に懸垂型戸車５を取り付ける懸垂型戸車の取付け構造において、
一端部に前記引き戸８の上辺枠１のシート止着溝１０の開口上縁部１４へ引っ掛ける鉤部２１を有し、同上辺枠１の上面１１から背面１３にかけて外接する略コ字形状をなし、背面側１３に被緊締部２０を有する上側取付け部材２のウェブ２２に前記懸垂型戸車５が上向きに取り付け固定されており、
一端部に前記引き戸８の上辺枠１のシート止着溝１０の開口下縁部１５へ引っ掛ける鉤部３１を有し、同上辺枠１の下面１２から背面１３にかけて外接する略コ字形状をなし、背面側１３に被緊締部３０を有する下側取付け部材３と、前記上側取付け部材２とが、引き戸８の上辺枠１へそれぞれの被緊締部２０と３０を同じ向きに配置され、上下の被緊締部２０と３０が緊結されて、懸垂型戸車５が引き戸８の上辺枠１の上に取り付けられていることを特徴とする。
【発明の効果】
【０００７】
本発明の温室用引き戸の懸垂型戸車の取付け構造は、懸垂型戸車５が取付け固定された上側取付け部材２と、下側取付け部材３とが、横断面がほぼ四角形の管状体をなす高強度、高剛性の管状シート止め材１の上面１１と下面１２にそれぞれ外接され、同管状シート止め材１の背面側１３で強固に緊結される構造なので、同管状シート止め材１を枠材に使用して組み立てた高強度および高剛性の引き戸８の上辺枠１へ好適に適用することができる。また、上下の取付け部材２と３は引き戸８の上辺枠１の適当な位置に簡単に嵌め合わせて取り付けることができ、同上下の取付け部材２と３それぞれの被緊締部２０と３０を緊結するだけの簡単な作業で、懸垂型戸車５を簡易、迅速に取り付けることができるので作業性もよく、確実に強固な取り付けができる。撤去作業や取付位置修正の作業なども、前記被緊締部２０と３０の緊結状態を解除するだけの簡単な作業で、簡易、迅速に行える。勿論、面内方向および面外方向の剪断力等に対しても使用上に必要十分な強度と剛性を発揮し、長期に亘り高安定で信頼性の高い使用ができる。
【発明を実施するための最良の形態】
【０００８】
本発明の温室用引き戸の懸垂型戸車の取付け構造は、一端部に引き戸８の上辺枠１のシート止着溝１０の開口上縁部１４へ引っ掛ける鉤部２１を有し、同上辺枠１の上面１１から背面１３にかけて外接する略コ字形状をなし、背面側１３に被緊締部２０を有する上側取付け部材２のウェブ２２に懸垂型戸車５が上向きに取り付け固定されている。そして、一端部に引き戸８の上辺枠１のシート止着溝１０の開口下縁部１５へ引っ掛ける鉤部３１を有し、同上辺枠１の下面１２から背面１３にかけて外接する略コ字形状をなし、背面側１３に被緊締部３０を有する下側取付け部材３と、前記上側取付け部材２とが、引き戸８の上辺枠１へそれぞれの被緊締部２０と３０を同じ向きに配置され、上下の被緊締部２０と３０が緊結されて、懸垂型戸車５が引き戸８の上辺枠１の上に取り付けられている。
【実施例１】
【０００９】
以下に、本発明に係る温室用引き戸の懸垂型戸車の取付け構造の実施例を図１〜３に基づいて説明する。
本発明の懸垂型戸車の取付け構造の特長は、図１及び図３に示すように、一側面に開口部が幅狭のシート止着溝１０を備えた横断面がほぼ四角形の管状体をなす高強度、高剛性のシート止め材１を枠材に使用し、そのシート止着溝１０を横向きに配置して図３に示すように組立てた高強度、高剛性の温室用引き戸８の上辺枠１の上に、戸車レール６に吊り下げる懸垂型戸車５を、上下二つのほぼ同形をなす取付け部材２と３により取付ける構成としたことである。
先ず上側取付け部材２は、図２及び図３に詳示するように、一端部に上記引き戸８の上辺枠１のシート止着溝１０の開口上縁部１４へ引っ掛ける鉤部２１を有し、同上辺枠１の上面１１から背面１３にかけて外接する略コ字形状をなし、背面側１３に被緊締部としてのボルト受け部２０を有する構成で、そのウェブ２２に、前記懸垂型戸車５が上向きに取り付け固定されている。下側取付け部材３は、やはり、一端部に前記引き戸８の上辺枠１のシート止着溝１０の開口下縁部１５へ引っ掛ける鉤部３１を有し、同上辺枠１の下面１２から背面１３にかけて外接する略コ字形状をなし、背面側１３にやはり被緊締部としてのボルト受け部３０を有する構成とされている。この下側取付け部材３と、前記上側取付け部材２とが、引き戸８の上辺枠１へそれぞれのボルト受け部２０と３０を同じ向きに配置され、上下のボルト受け部２０と３０が、各々のボルト孔へ通した１本のボルト４ａとナット４ｂを用いてボルト接合され、もって懸垂型戸車５が引き戸８の上辺枠１の上に取り付けられている。従って、上下の取付け部材２と３それぞれのボルト受け部２０と３０をボルト接合するだけの簡単な作業で、懸垂型戸車５を簡易、迅速に取り付けることができるので作業性もよく、確実に強固な取り付けができる。ボルト４ａとナット４ｂを緩めて外せば、懸垂型戸車５は簡単に撤去できるし、取付け位置の修正も容易にできる。
なお、前記上下の取付け部材２と３のボルト受け部２０と３０の異なる緊結手段としては、例えばくさびの打ち込みにより緊締力を発揮する結合部材等を用いて実施することもできる。
【００１０】
上記上側取付け部材２は、ウェブ２２の懸垂型戸車５を取り付ける部分が上方へ突き出るように凸状２３をなし、該凸部２３に前記懸垂型戸車５の垂直軸５０のねじ部５１をねじ込むねじ孔が形成されている。前記凸部２３上には、前記ねじ孔と同径のナット２４が同ねじ孔と同心配置で強固に固定されている。前記懸垂型戸車５の垂直軸５０のねじ部５１が、前記上側取付け部材２の凸部２３に固定されたナット２４と同凸部２３のねじ孔にねじ込まれて、前記懸垂型戸車５が上側取付け部材２にしっかりと強固に取り付け固定されている。
【００１１】
なお、図１及び図３に示す引き戸８は、外周枠材による四隅部分が、全体として直角に屈曲されたＬ字状をなす入れ子型のＬ型継手８１により接合されている。また、外周枠とその枠内に外周枠材と直行するように配置した中間枠材８０とのＴ型接合部分は、双方の枠材をＴ字形配置に挟み付ける二分割型の継ぎ手８２により接合されている。つまり、縦枠材と横枠材のシート止着溝１０を利用して波形状の止め線７でプラスチックシートを止着する場合の止め線の連続性を確保でき、外周枠の四隅部分における連続性のある平坦なシート止着が可能な構成である。
【００１２】
したがって、本実施例の懸垂型戸車の取付け構造は、懸垂型戸車５が取付け固定された上側取付け部材２と、下側取付け部材３とが、横断面がほぼ四角形の管状体をなす高強度、高剛性の管状シート止め材１の上面１１と下面１２にそれぞれ外接され、同管状シート止め材１の背面側１３で強固に緊結される構造なので、同管状シート止め材１を枠材に使用して組み立てた高強度および高剛性の引き戸８の上辺枠１へ好適に適用することができる。上辺枠１へ取付け孔をあけるなどして傷つける不具合もない。また、ほぼ同形をなす上下の取付け部材２と３は、安価に製造することができる。勿論、面内方向および面外方向の剪断力等に対しても使用上に必要十分な剛性と強度を発揮し、長期に亘り高安定で信頼性の高い使用ができる。
【００１３】
なお、本実施例の温室用引き戸の懸垂型戸車の取付け構造は、上記特許文献３に開示された垂直軸を正面からみて車輪部を支持可能な倒立Ｕ字形状に形成された懸垂型戸車の一方の脚部を上側取付け部材に取付け固定し、他方の脚部を同上側取付け部材に係止させた構成で実施することもできる。
【００１４】
また、図示することは省略したが、他側面にもシート止着溝を備えた横断面がほぼ四角形の管状体をなすシート止め材を使用して組立てられた引き戸においても、同様に実施することができる。
【００１５】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。
【図面の簡単な説明】
【００１６】
【図１】本発明の実施例である懸垂型戸車の取付け構造を示した拡大斜視図である。
【図２】図１のＡ−Ａ線矢視図である。
【図３】懸垂型戸車の取付け構造を分解状態で示した斜視図である。
【図４】従来の懸垂型戸車の取付け構造を示した拡大斜視図である。
【図５】図４のＢ−Ｂ線矢視図である。
【００１７】
１      管状シート止め材（引き戸の上辺枠）
１０    シート止着溝
１１    管状シート止め材の上面
１２    管状シート止め材の下面
１３    管状シート止め材の背面
２      上側取付け部材
２０    ボルト受け部（被緊締部）
２１    鉤部
２２    ウェブ
３      下側取付け部材
３０    ボルト受け部（被緊締部）
３１    鉤部
５      懸垂型戸車
８      引き戸
【図１】
2009167655.tif 000003
【図２】
2009167655.tif 000004
【図３】
2009167655.tif 000005
【図４】
2009167655.tif 000006
【図５】
2009167655.tif 000007